(57)【要約】【課題】線材で構成される給電端子に対して円滑に接触し得る高耐久性の中継端子を有する充電装置用アタッチメントおよび充電装置を提供する。【解決手段】アタッチメント３０は、収容部３２を構成する本体ホルダ３１と、当該本体ホルダ３１に対して摺動可能に案内されて線材で構成される中継端子４０ａ，４０ｂとを備えている。両中継端子４０ａ，４０ｂは、当該アタッチメント３０が装置本体２１のアタッチメント取付部２２に取り付けられるとき、上記所定の隙間Ｓにそれぞれ挿入する正側給電端子２３および負側給電端子２４に対して両導通部４１ａ，４１ｂの双方にて挟み込むように接触する。【選択図】図１
2011091929.tif 000002
【特許請求の範囲】
【請求項１】
携帯機器を充電可能な充電装置に取り付けられる充電装置用アタッチメントであって、
前記充電装置のアタッチメント取付部に取り付けることで前記携帯機器を前記充電装置に収容するための携帯機器収容部を構成する本体ホルダと、
前記本体ホルダに対して摺動可能に案内されて線材で構成される中継端子であって摺動方向一側の充電装置側端部が所定の隙間を介して配置される２つの導通部を有するように形成される中継端子と、を備え、
前記中継端子は、
当該充電装置用アタッチメントが前記アタッチメント取付部に取り付けられるとき、前記所定の隙間に挿入する前記充電装置の線材で構成される給電端子に対して前記２つの導通部の双方にて挟み込むように接触し、
当該充電装置用アタッチメントが取り付けられた前記充電装置の前記携帯機器収容部に前記携帯機器が収容されるとき、摺動方向他側の携帯機器側端部にて前記携帯機器の受電端子に接触して摺動方向一側へ押圧されることにより、前記２つの導通部にて前記給電端子を挟み込んだ状態で前記摺動方向一側へ摺動して押圧することを特徴とする充電装置用アタッチメント。
【請求項２】
前記中継端子は、前記充電装置側端部および前記携帯機器側端部を連結する連結部にて前記本体ホルダに設けられる第１ガイドに沿い摺動することを特徴とする請求項１に記載の充電装置用アタッチメント。
【請求項３】
前記中継端子は、前記第１ガイドの案内面に直交するように線材で構成される案内部を備え、
前記本体ホルダには、前記案内部を前記摺動方向沿いに案内する第２ガイドが形成されることを特徴とする請求項２に記載の充電装置用アタッチメント。
【請求項４】
前記中継端子は、複数の端子から構成され、これら各端子が前記本体ホルダに対してそれぞれ独立して摺動可能に案内されることを特徴とする請求項１〜３のいずれか一項に記載の充電装置用アタッチメント。
【請求項５】
前記充電装置側端部は、前記２つの導通部の端部のうち一方のみが互いに連結することで１つの線材を湾曲させて形成されることを特徴とする請求項１〜４のいずれか一項に記載の充電装置用アタッチメント。
【請求項６】
請求項１〜５のいずれか一項に記載の充電装置用アタッチメントを備え、この充電装置用アタッチメントが前記アタッチメント取付部に収容されて構成される前記携帯機器収容部に収容される携帯機器に対して充電可能であることを特徴とする充電装置。
【発明の詳細な説明】
【技術分野】
【０００１】
本発明は、充電装置用アタッチメントおよび充電装置に関するものである。
【背景技術】
【０００２】
従来、充電装置に関する技術として、下記特許文献１に示す充電装置が知られている。この充電装置は、携帯電話機への充電時に、当該充電装置に対して充電装置用アタッチメントが固定されることで充電装置の給電端子と充電装置用アタッチメントの下側中継端子とが接続される。そして、携帯電話機の通信コネクタに通信アダプタを接続し、充電装置用アタッチメントのアタッチメント側凹部に携帯電話機を挿入して嵌合させることで、携帯電話機の受電端子と充電装置用アタッチメントの上側中継端子とが接続される。これにより、充電装置用アタッチメントを固定した充電装置により携帯電話機を充電しつつデータ通信を可能としている。
【０００３】
また、下記特許文献２に示す充電装置では、電池載置部に二次電池を載置した充電用アタッチメントの被載置部を、充電器の装着部に装着することにより、二次電池の充電が行われる。このとき、充電器は、温度検出用端子に与えられる二次電池の温度信号と認識用端子に与えられる種類識別信号とに基づいて、二次電池の充電を適宜に制御する。
【先行技術文献】
【特許文献】
【０００４】
【特許文献１】特開平１１−３５５４０７号公報
【特許文献２】特開平０６−１１３４７１号公報
【発明の概要】
【発明が解決しようとする課題】
【０００５】
ところで、充電装置の給電端子（充電端子）としては、弾性的に変形可能であって携帯端末等の充電対象の着脱による繰り返し応力への耐久性を向上させるために、上記各特許文献の発明等にて接触面積を確保する目的で採用される板ばね状の端子と異なり、線材を使用したコイルばね状の端子を採用することが望ましい。この場合、複数種類の携帯端末等を単一の充電装置で充電するために当該充電装置に取り付けられる充電装置用アタッチメントにおいて、その中継端子としては、コイルばね状の給電端子との接続を確実に確保するために板ばね状の端子を採用することが考えられる。
【０００６】
しかしながら、充電装置用アタッチメントに板ばね状の中継端子を採用すると、上述のように耐久性上の問題があり、充電装置用アタッチメントの着脱により、例えば、繰り返し応力が高頻度で作用すると中継端子が塑性変形してその弾性力が低下したり、給電端子のメッキ等を削ってしまうという問題がある。
【０００７】
本発明は、上述した課題を解決するためになされたものであり、その目的とするところは、線材で構成される給電端子に対して円滑に接触し得る高耐久性の中継端子を有する充電装置用アタッチメントおよび充電装置を提供することにある。
【課題を解決するための手段】
【０００８】
上記目的を達成するため、特許請求の範囲に記載の請求項１の充電装置用アタッチメントでは、携帯機器を充電可能な充電装置に取り付けられる充電装置用アタッチメントであって、前記充電装置のアタッチメント取付部に取り付けることで前記携帯機器を前記充電装置に収容するための携帯機器収容部を構成する本体ホルダと、前記本体ホルダに対して摺動可能に案内されて線材で構成される中継端子であって摺動方向一側の充電装置側端部が所定の隙間を介して配置される２つの導通部を有するように形成される中継端子と、を備え、前記中継端子は、当該充電装置用アタッチメントが前記アタッチメント取付部に取り付けられるとき、前記所定の隙間に挿入する前記充電装置の線材で構成される給電端子に対して前記２つの導通部の双方にて挟み込むように接触し、当該充電装置用アタッチメントが取り付けられた前記充電装置の前記携帯機器収容部に前記携帯機器が収容されるとき、摺動方向他側の携帯機器側端部にて前記携帯機器の受電端子に接触して摺動方向一側へ押圧されることにより、前記２つの導通部にて前記給電端子を挟み込んだ状態で前記摺動方向一側へ摺動して押圧することを特徴とする。
【０００９】
請求項２の発明は、請求項１に記載の充電装置用アタッチメントにおいて、前記中継端子は、前記充電装置側端部および前記携帯機器側端部を連結する連結部にて前記本体ホルダに設けられる第１ガイドに沿い摺動することを特徴とする。
【００１０】
請求項３の発明は、請求項２に記載の充電装置用アタッチメントにおいて、前記中継端子は、前記第１ガイドの案内面に直交するように線材で構成される案内部を備え、前記本体ホルダには、前記案内部を前記摺動方向沿いに案内する第２ガイドが形成されることを特徴とする。
【００１１】
請求項４の発明は、請求項１〜３のいずれか一項に記載の充電装置用アタッチメントにおいて、記中継端子は、複数の端子から構成され、これら各端子が前記本体ホルダに対してそれぞれ独立して摺動可能に案内されることを特徴とする。
【００１２】
請求項５の発明は、請求項１〜４のいずれか一項に記載の充電装置用アタッチメントにおいて、前記充電装置側端部は、前記２つの導通部の端部のうち一方のみが互いに連結することで１つの線材を湾曲させて形成されることを特徴とする。
【００１３】
請求項６の充電装置は、請求項１〜５のいずれか一項に記載の充電装置用アタッチメントを備え、この充電装置用アタッチメントが前記アタッチメント取付部に収容されて構成される前記携帯機器収容部に収容される携帯機器に対して充電可能であることを特徴とする。
【発明の効果】
【００１４】
請求項１の発明では、充電装置用アタッチメントは、携帯機器収容部を構成する本体ホルダと、当該本体ホルダに対して摺動可能に案内されて線材で構成される中継端子とを備えている。中継端子は、摺動方向一側の充電装置側端部が所定の隙間を介して配置される２つの導通部を有するように形成されている。そして、中継端子は、当該充電装置用アタッチメントが充電装置のアタッチメント取付部に取り付けられるとき、上記所定の隙間に挿入する充電装置の線材で構成される給電端子に対して２つの導通部の双方にて挟み込むように接触する。また、中継端子は、当該充電装置用アタッチメントが取り付けられた充電装置の携帯機器収容部に携帯機器が収容されるとき、摺動方向他側の携帯機器側端部にて携帯機器の受電端子に接触して摺動方向一側へ押圧されることにより、２つの導通部にて給電端子を挟み込んだ状態で摺動方向一側へ摺動して押圧する。
【００１５】
これにより、充電装置用アタッチメントを、充電対象となる携帯機器に対して携帯機器収容部を構成するように形成し、かつ、充電装置のアタッチメント取付部に取り付け可能に形成することにより、単一の充電装置に充電対象の携帯機器に応じた充電装置用アタッチメントを取り付けることで当該携帯機器を充電可能な充電装置を構成することができる。
【００１６】
特に、充電装置用アタッチメントの中継端子は、給電端子とともに線材で構成されるため、板ばね状の端子を採用する場合と比較して耐久性等を向上させることができる。さらに、中継端子は、給電端子に対して２つの導通部の双方にて挟み込むように接触するため、線材で構成される端子同士であっても確実に接触させることができる。
したがって、線材で構成される給電端子に対して円滑に接触し得る高耐久性の中継端子を有する充電装置用アタッチメントを構成することができる。なお、上記摺動とは、案内面に常時接触して移動する状態だけでなく、例えば、断続的に接触して移動する状態をも含むものとする。
【００１７】
請求項２の発明では、中継端子は、充電装置側端部および携帯機器側端部を連結する連結部にて本体ホルダに設けられる第１ガイドに沿い摺動するため、充電時に、携帯機器の受電端子からの押圧力が当該中継端子を介してそのまま充電装置の給電端子に伝達される。これにより、第１ガイドが無い場合と比較して、充電時の中継端子の変形を抑制することができる。
【００１８】
請求項３の発明では、中継端子は、第１ガイドの案内面に直交するように線材で構成される案内部を備えており、本体ホルダには、案内部を摺動方向に沿い案内する第２ガイドが形成されている。これにより、中継端子は案内部にて第２ガイドに沿うように案内されるため、当該中継端子が連結部にて第１ガイドの案内面に沿って摺動する際にこの案内面に沿う方向に傾くことが防止されて、受電端子からの押圧力を確実にそのまま給電端子に伝達することができる。
【００１９】
請求項４の発明では、中継端子は、複数の端子から構成されこれら各端子が本体ホルダに対してそれぞれ独立して摺動可能に案内されるため、例えば携帯機器が携帯機器収容部に対して傾いた状態にて収容されることなどで、各受電端子が本体ホルダに対して位置ずれ等する場合でも、各中継端子と対応する受電端子とをそれぞれ確実に接続することができる。
【００２０】
請求項５の発明では、充電装置側端部は、２つの導通部の端部のうち一方のみが互いに連結することで１つの線材を湾曲させて形成されるため、例えば、充電装置側端部をＵ字状に形成することにより、２つの導通部を有する中継端子を容易に形成することができる。
【００２１】
請求項６の発明では、充電装置は、請求項１〜５のいずれか一項に記載の充電装置用アタッチメントを備えており、この充電装置用アタッチメントが当該充電装置のアタッチメント取付部に収容されて構成される携帯機器収容部に収容される携帯機器に対して充電する。これにより、線材で構成される給電端子に対して円滑に接触し得る高耐久性の中継端子を有する充電装置用アタッチメントを構成することができる等の請求項１〜５の各発明による作用・効果を享受した充電装置を実現することができる。
【図面の簡単な説明】
【００２２】
【図１】本実施形態に係るアタッチメント３０を採用する充電装置２０の構成概要を示す要部断面図である。
【図２】中継端子４０ａ，４０ｂを本体ホルダ３１の上ケース３１ａに配置した状態を下ケース側から見た下面図である。
【図３】下ケース３１ｂを上ケース側から見た上面図である。
【図４】図１の両中継端子４０ａ，４０ｂを示す斜視図である。
【図５】中継端子４０ａ，４０ｂと給電端子２３，２４との接触状態を示す説明図であり、図５（Ａ）は上面図であり、図５（Ｂ）は側面図である。
【図６】充電前および充電中における中継端子４０ａと正側給電端子２３との接触状態を説明するための説明図である。
【発明を実施するための形態】
【００２３】
以下、本発明に係る充電装置用アタッチメントを採用する充電装置の実施形態について図を参照して説明する。
図１に示すように、充電装置２０は、その収容部３２に収容される携帯機器１０を充電するように構成されている。なお、図１では、充電装置２０の要部を断面図で示し、携帯機器１０を側面図で示す。
【００２４】
携帯機器１０は、筐体１１内に制御回路やメモリ等の各種電気部品と、各種電気部品の電源として機能する二次電池とが収容されるように構成されている。携帯機器１０は、制御回路等により、外部から取得した情報を制御して所定のデータを作成した後、そのデータ等をメモリに記憶するように構成されている。また、携帯機器１０の下端部には、二次電池への充電用の正側受電端子１２および負側受電端子１３が設けられている。なお、正側受電端子１２および負側受電端子１３は、特許請求の範囲に記載の「受電端子」の一例に相当する。
【００２５】
充電装置２０は、装置本体２１とこの装置本体２１のアタッチメント取付部２２に着脱可能に取り付けられる充電装置用のアタッチメント３０とを備えており、アタッチメント取付部２２の底部には、２つの挿通穴２２ａが形成されている。
【００２６】
装置本体２１は、携帯機器１０を充電するための端子である正側給電端子２３および負側給電端子２４を備えている。両給電端子２３，２４は、耐久性等の向上を目的として金属線材を湾曲させて構成されている。より具体的には、両給電端子２３，２４は、アタッチメント側の一端部（以下、導通部２３ａ，２４ａという）を略逆Ｖ字状に形成するとともに他端部をコイルばね状に形成することで、一端部からの押圧に応じてその押圧方向に弾性変形するように構成されている（図１参照）。そして、両給電端子２３，２４は、各導通部２３ａ，２４ａの一部が対応する挿通穴２２ａを介してアタッチメント取付部２２内に突出するように他端部がそれぞれ例えば充電用の基板等に固定されている。なお、正側給電端子２３および負側給電端子２４は、特許請求の範囲に記載の「給電端子」の一例に相当する。
【００２７】
アタッチメント３０は、図２および図３に示す上ケース３１ａおよび下ケース３１ｂを組み付けて構成される樹脂製の本体ホルダ３１と、この本体ホルダ３１に摺動可能に収容される２つの中継端子４０ａ，４０ｂとを備えている。本体ホルダ３１は、その外形が装置本体２１のアタッチメント取付部２２に対して着脱可能に取り付けられるように形成されており、上ケース３１ａには、携帯機器１０を収容するための収容部３２が形成されている。なお、上記摺動とは、両中継端子４０ａ，４０ｂが、本体ホルダ３１に設けられる案内面に常時接触して移動する状態だけでなく、例えば、断続的に接触して移動する状態をも含むものとする。また、図２は、下ケース３１ｂ側から見た上ケース３１ａの一部を示し、図３は、上ケース３１ａ側から見た下ケース３１ｂの一部を示す。
【００２８】
中継端子４０ａは、正側給電端子２３および正側受電端子１２の双方に接触する中継のための接続端子であり、中継端子４０ｂは、負側給電端子２４および負側受電端子１３の双方に接触する中継のための接続端子である。両中継端子４０ａ，４０ｂは、図４に示すように、左右対象に形成されるため、中継端子４０ａを代表例として説明する。
【００２９】
中継端子４０ａは、金属線材を湾曲させることで、摺動方向一側（図４の下側）の充電装置側端部４１と、摺動方向他側（図４の上側）の携帯機器側端部４２と、これら両端部を連結する連結部４３と、携帯機器側端部４２に対して連結部４３と異なる側に連結する第１案内部４４と、充電装置側端部４１に対して連結部４３と異なる側に連結する第２案内部４５とから構成されている（図４参照）。
【００３０】
充電装置側端部４１は、摺動方向に対して交差する平面上にて所定の隙間Ｓを介して平行に配置される２つの導通部４１ａ，４１ｂの一端部同士が連結するように略Ｕ字状に形成されている。そして、当該充電装置側端部４１は、導通部４１ａの他端部が第２案内部４５に略直角状に連結し、導通部４１ｂの他端部が連結部４３に略直角状に連結するように形成されている。なお、導通部４１ａおよび導通部４１ｂは、特許請求の範囲に記載の「２つの導通部」の一例に相当する。
【００３１】
携帯機器側端部４２は、略逆Ｖ字状に形成されており、一端部にて連結部４３に略直角状に連結し、他端部にて第１案内部４４に略直角状に連結するように形成されている。このため、第１案内部４４は、図４からわかるように、携帯機器側端部４２および連結部４３を含む平面に対して直交するように携帯機器側端部４２の他端部に連結されることとなる。
【００３２】
このように形成される中継端子４０ａは、図１および図２に示すように、携帯機器側端部４２および連結部４３の一部にて、上ケース３１ａの底面中央を貫通するように設けられる第１ガイド３３に沿って摺動するように、配置される。なお、図２では、両中継端子４０ａ，４０ｂを本体ホルダ３１の上ケース３１ａに配置した状態を、下側（下ケース側）から見た下面図として図示している。なお、第１ガイド３３は、特許請求の範囲に記載の「第１ガイド」の一例に相当する。
【００３３】
第１ガイド３３は、摺動方向に摺動する携帯機器側端部４２および連結部４３を円滑に案内するために、その案内面間の隙間が中継端子４０ａの線径よりも僅かに大きくかつ一定間隔を有するように形成されている。このとき、中継端子４０ａは、携帯機器側端部４２の一部にて収容部３２内に突出し、第２案内部４５にて上ケース３１ａの下面に設けられる補助ガイド３４に沿って摺動するように案内される。
【００３４】
そして、上述のように中継端子４０ａを配置した上ケース３１ａに対して下ケース３１ｂを組み付けることで、中継端子４０ａは、第１案内部４４にて、上ケース３１ａの案内面３５ａと下ケース３１ｂの案内面３５ｂとにより構成される第２ガイド３５に沿って摺動するように、本体ホルダ３１内に収容される。ここで、第２ガイド３５は、摺動方向に摺動する第２案内部４５を円滑に案内するために、案内面３５ａおよび案内面３５ｂ間の隙間が中継端子４０ａの線径よりも僅かに大きくかつ一定間隔を有するように形成されている。なお、第２ガイド３５は、特許請求の範囲に記載の「第２ガイド」の一例に相当する。
【００３５】
上述した各ガイド３３〜３５は、アタッチメント３０が装置本体２１のアタッチメント取付部２２に取り付けられるとき、中継端子４０ａの充電装置側端部４１の両導通部４１ａ，４１ｂが所定の隙間Ｓに挿入する正側給電端子２３の導通部２３ａを挟み込んで接触するように配置されている（図５（Ａ），（Ｂ）参照）。なお、本実施形態では、両導通部４１ａ，４１ｂは、双方にて導通部２３ａに接触するように構成されているが、導通部２３ａを挟み込むように一方にて導通部２３ａに接触してもよい。
【００３６】
そして、中継端子４０ｂも、中継端子４０ａと同様に構成されており、これにより、両中継端子４０ａ，４０ｂは、本体ホルダ３１に対してそれぞれ独立して摺動方向に摺動可能に収容されることとなる。
【００３７】
次に、上述のように構成されるアタッチメント３０が取り付けられた充電装置２０による携帯機器１０の充電について図１および図６を用いて説明する。なお、図６は、便宜上、中継端子４０ａと正側給電端子２３との接触状態を説明するために、他の部材を省いて図示している。
【００３８】
まず、充電対象の携帯機器１０を収容可能なアタッチメント３０を用意し、このアタッチメント３０を装置本体２１のアタッチメント取付部２２に取り付ける。これにより、正側給電端子２３が、導通部２３ａにて本体ホルダ３１に摺動可能に収容される中継端子４０ａの両導通部４１ａ，４１ｂに挟み込まれるように接触する。また、負側給電端子２４が、導通部２４ａにて本体ホルダ３１に摺動可能に収容される中継端子４０ｂの両導通部４１ａ，４１ｂに挟み込まれるように接触する。これにより、図１に示す充電装置２０が完成する。
【００３９】
このとき、両中継端子４０ａ，４０ｂは、両給電端子２３，２４により摺動方向他側に押圧されることで、各ガイド３３〜３５に案内された状態でそれぞれ独立して摺動方向他側に摺動する。
【００４０】
次に、充電対象の携帯機器１０を充電装置２０の収容部３２に収容することで、携帯機器１０の正側受電端子１２および負側受電端子１３を、中継端子４０ａおよび中継端子４０ｂの携帯機器側端部４２にそれぞれ接触させる。これにより、中継端子４０ａおよび中継端子４０ｂは、携帯機器１０の自重によって正側受電端子１２および負側受電端子１３を介して摺動方向一側に押圧されて、本体ホルダ３１に対して摺動方向一側に摺動する。
【００４１】
このように中継端子４０ａが摺動方向一側に摺動するために、充電装置２０の正側給電端子２３の導通部２３ａが充電装置側端部４１の両導通部４１ａ，４１ｂにより挟み込まれるように接触した状態で押し下げられる。これにより、充電中では、正側受電端子１２および正側給電端子２３が中継端子４０ａを介して確実に接続される。同様に、中継端子４０ｂが摺動方向一側に摺動するために、負側給電端子２４の導通部２４ａが充電装置側端部４１の両導通部４１ａ，４１ｂにより挟み込まれるように接触した状態で押し下げられる。これにより、負側受電端子１３および負側給電端子２４が中継端子４０ｂを介して確実に接続される。
【００４２】
このとき、両中継端子４０ａ，４０ｂは、両受電端子１２，１３からの押圧力をそのまま両給電端子２３，２４に伝達するように、本体ホルダ３１の各ガイド３３〜３５の案内面に沿い摺動方向一側へそれぞれ摺動するので、両受電端子１２，１３からの押圧力等に起因する両中継端子４０ａ，４０ｂの変形が抑制される。また、両中継端子４０ａ，４０ｂは、携帯機器側端部４２および連結部４３を含む平面に直交する第１案内部４４にて第２ガイド３５に案内されるので、当該両中継端子４０ａ，４０ｂが携帯機器側端部４２および連結部４３の一部にて第１ガイド３３の案内面に沿って摺動する際に当該案内面に沿う方向に傾くことが防止される。
【００４３】
また、携帯機器１０の製造不良等により負側受電端子１３が正側受電端子１２よりも中継端子に近接するように位置ずれしている場合には、まず、負側受電端子１３に接触して押圧された中継端子４０ｂが本体ホルダ３１に対して摺動方向一側に摺動することで、当該中継端子４０ｂを介して負側受電端子１３および負側給電端子２４が接続される。
【００４４】
その後、さらに携帯機器１０が下方に移動することで、正側受電端子１２に接触して押圧された中継端子４０ａが本体ホルダ３１に対して摺動方向一側に摺動することで、当該中継端子４０ａを介して正側受電端子１２および正側給電端子２３が接続される。
【００４５】
このように、携帯機器１０の製造不良等により正側受電端子１２および負側受電端子１３が位置ずれして配置される場合でも、正側受電端子１２および正側給電端子２３が中継端子４０ａを介して確実に接続されるとともに、負側受電端子１３および負側給電端子２４が中継端子４０ｂを介して確実に接続される。
【００４６】
また、携帯機器１０が収容部３２に対して傾いた状態で収容される場合でも、両中継端子４０ａ，４０ｂが上述のように本体ホルダ３１に対してそれぞれ独立して摺動するので、正側受電端子１２および正側給電端子２３が中継端子４０ａを介して確実に接続され、負側受電端子１３および負側給電端子２４が中継端子４０ｂを介して確実に接続される。
【００４７】
以上説明したように、本実施形態に係るアタッチメント３０は、携帯機器１０を収容するための収容部３２を構成する本体ホルダ３１と、当該本体ホルダ３１に対して摺動可能に案内されて線材で構成される中継端子４０ａ，４０ｂとを備えている。両中継端子４０ａ，４０ｂは、当該アタッチメント３０が装置本体２１のアタッチメント取付部２２に取り付けられるとき、上記所定の隙間Ｓにそれぞれ挿入する正側給電端子２３および負側給電端子２４に対して両導通部４１ａ，４１ｂの双方にて挟み込むように接触する。また、両中継端子４０ａ，４０ｂは、当該アタッチメント３０が取り付けられた充電装置２０の収容部３２に携帯機器１０が収容されるとき、携帯機器側端部４２にて両受電端子１２，１３に接触して摺動方向一側へ押圧されることにより、両導通部４１ａ，４１ｂにて給電端子２３，２４を挟み込んだ状態で摺動方向一側へ摺動して押圧する。
【００４８】
これにより、アタッチメント３０を、充電対象となる携帯機器１０に対して収容部３２を構成するように形成し、かつ、装置本体２１のアタッチメント取付部２２に取り付け可能に形成することにより、単一の装置本体２１に充電対象の携帯機器１０に応じたアタッチメント３０を取り付けることで当該携帯機器１０を充電可能な充電装置２０を構成することができる。
【００４９】
特に、アタッチメント３０の両中継端子４０ａ，４０ｂは、両給電端子２３，２４とともに線材で構成されるため、板ばね状の端子を採用する場合と比較して耐久性等を向上させることができる。さらに、両中継端子４０ａ，４０ｂは、両給電端子２３，２４に対して２つの導通部４１ａ，４１ｂの双方にて挟み込むように接触するため、線材で構成される端子同士であっても確実に接触させることができる。
したがって、線材で構成される両給電端子２３，２４に対して円滑に接触し得る高耐久性の両中継端子４０ａ，４０ｂを有するアタッチメント３０を構成することができる。
【００５０】
また、本実施形態に係るアタッチメント３０では、両中継端子４０ａ，４０ｂは、携帯機器側端部４２および連結部４３の一部にて第１ガイド３３に沿い摺動するため、充電時に、両受電端子１２，１３からの押圧力が当該両中継端子４０ａ，４０ｂを介してそのまま対応する給電端子２３，２４に伝達される。これにより、第１ガイド３３が無い場合と比較して、充電時の両中継端子４０ａ，４０ｂの変形を抑制することができる。
【００５１】
さらに、本実施形態に係るアタッチメント３０では、両中継端子４０ａ，４０ｂは、第１ガイド３３の案内面に直交する第１案内部４４を備えており、本体ホルダ３１には、第１案内部４４を摺動方向に沿い案内する第２ガイド３５が形成されている。これにより、両中継端子４０ａ，４０ｂは、第１案内部４４にて第２ガイド３５に沿うように案内されるため、これら両中継端子４０ａ，４０ｂが第１ガイド３３の案内面に沿って摺動する際に当該案内面に沿う方向に傾くことが防止されて、両受電端子１２，１３からの押圧力を確実にそのまま対応する給電端子２３，２４に伝達することができる。
【００５２】
また、本実施形態に係るアタッチメント３０では、中継端子は、２つの端子から構成されこれら両中継端子４０ａ，４０ｂが本体ホルダ３１に対してそれぞれ独立して摺動可能に案内されるため、携帯機器１０が収容部３２に対して傾いた状態にて収容されることなどで、両受電端子１２，１３が本体ホルダ３１に対して位置ずれ等する場合でも、両中継端子４０ａ，４０ｂと対応する受電端子１２，１３とをそれぞれ確実に接続することができる。
【００５３】
さらに、本実施形態に係るアタッチメント３０では、充電装置側端部４１は、２つの導通部４１ａ，４１ｂの一端部同士が連結することで１つの線材を湾曲させて略Ｕ字状に形成されるため、２つの導通部４１ａ，４１ｂを有する両中継端子４０ａ，４０ｂをそれぞれ容易に形成することができる。
【００５４】
また、本実施形態に係る充電装置２０は、上述した充電装置用のアタッチメント３０を備えており、このアタッチメント３０が当該充電装置２０のアタッチメント取付部２２に収容されて構成される収容部３２に収容される携帯機器１０に対して充電する。これにより、線材で構成される給電端子２３，２４に対して円滑に接触し得る高耐久性の中継端子４０ａ，４０ｂを有するアタッチメント３０を構成することができる等の作用・効果を享受した充電装置２０を実現することができる。
【００５５】
なお、本発明は上記実施形態に限定されるものではなく、以下のように具体化してもよく、その場合でも、上記実施形態と同等の作用・効果が得られる。
（１）充電装置側端部４１は、平行に配置される両導通部４１ａ，４１ｂの一端部同士が連結することで略Ｕ字状に形成されることに限らず、例えば、両導通部４１ａ，４１ｂの一端部同士を直接連結してＶ字状に形成されるなど、両導通部４１ａ，４１ｂにて所定の隙間Ｓに挿入する給電端子２３，２４を挟み込んで接触するように形成されればよい。
【００５６】
（２）中継端子４０ａ，４０ｂは、摺動方向と受電端子および給電端子との位置関係から第１ガイド３３の案内面に沿って摺動する際に当該案内面に沿う方向に傾く可能性が低い場合には、第１案内部４４や第２案内部４５を廃止してもよい。
【００５７】
（３）第２ガイド３５を構成する案内面３５ａ，３５ｂは、上ケース３１ａおよび下ケース３１ｂにそれぞれ形成されることに限らず、上ケース３１ａまたは下ケース３１ｂのいずれか一方のみに形成されてもよい。また、第１ガイド３３や補助ガイド３４は、第２ガイド３５と同様に、上ケース３１ａおよび下ケース３１ｂの組み付けにより構成されてもよい。
【符号の説明】
【００５８】
１０…携帯機器
１２…正側受電端子（受電端子）
１３…負側受電端子（受電端子）
２０…充電装置
２１…装置本体
２２…アタッチメント取付部
２３…正側給電端子（給電端子）
２４…負側給電端子（給電端子）
３０…アタッチメント（充電装置用アタッチメント）
３１…本体ホルダ
３２…収容部
３３…第１ガイド
３４…補助ガイド
３５…第２ガイド
４０ａ，４０ｂ…中継端子
４１…充電装置側端部
４１ａ，４１ｂ…導通部
４２…携帯機器側端部
４３…連結部
４４…第１案内部
４５…第２案内部
Ｓ…所定の隙間
【図１】
2011091929.tif 000003
【図２】
2011091929.tif 000004
【図３】
2011091929.tif 000005
【図４】
2011091929.tif 000006
【図５】
2011091929.tif 000007
【図６】
2011091929.tif 000008